(57)【要約】【課題】組立ておよび位置規制を容易に行うことができる送受信モジュールが挿抜可能な筐体構造を提供する。【解決手段】送受信モジュールが挿抜可能な筐体構造は、筐体１、複数の第１の弾片２および複数の第２の弾片３を備える。筐体１は、内部に複数の隔板１１が頂面に対して垂直に配置され、端部に開口を有する複数の収納エリア１２が内部に画定され、頂面および内面の端部に複数の第１の凸部１３がそれぞれ設けられ、隔板１１の端部の両面には、複数の第２の凸部１４がそれぞれ設けられる。第１の弾片２は、筐体１の端縁に接続され、筐体１の端縁を挟持する挟持部２１を端部に有し、挟持部２１は、第１の凸部１３に係合する複数の固定孔２２をそれぞれ有する。第２の弾片３は、隔板１１の端縁に接続され、隔板１１の端縁を挟持する挟持部３１を端部に有し、挟持部３１は、第２の凸部１４に係合する複数の固定孔３２をそれぞれ有する。【選択図】図４
0003156176.tif 000002
【実用新案登録請求の範囲】
【請求項１】
筐体、複数の第１の弾片および複数の第２の弾片を備える送受信モジュールが挿抜可能な筐体構造であって、
前記筐体は、内部に複数の隔板が頂面に対して垂直に配置され、端部に開口を有する複数の収納エリアが内部に画定され、頂面および内面の端部に複数の第１の凸部がそれぞれ設けられ、前記隔板の端部の両面には、複数の第２の凸部がそれぞれ設けられ、
前記第１の弾片は、前記筐体の端縁に接続され、前記筐体の端縁を挟持する挟持部を端部に有し、前記挟持部は、前記第１の凸部に係合する複数の固定孔をそれぞれ有し、
前記第２の弾片は、前記隔板の端縁に接続され、前記隔板の端縁を挟持する挟持部を端部に有し、前記挟持部は、前記第２の凸部に係合する複数の固定孔をそれぞれ有することを特徴とする送受信モジュールが挿抜可能な筐体構造。
【請求項２】
前記第１の凸部は、前記筐体の頂面および内面へ、互いに表裏の関係に設けるか、位置がずれるように設けることを特徴とする請求項１に記載の送受信モジュールが挿抜可能な筐体構造。
【請求項３】
前記第２の凸部は、前記隔板の端部の両面に、互いに表裏の関係に設けるか、位置がずれるように設けることを特徴とする請求項１に記載の送受信モジュールが挿抜可能な筐体構造。
【考案の詳細な説明】
【技術分野】
【０００１】
本考案は、筐体構造に関し、特に、組立ておよび位置規制を容易に行うことができる送受信モジュールが挿抜可能な筐体構造に関する。
【背景技術】
【０００２】
図１〜図３に示すように、従来の送受信モジュールが挿抜可能な筐体は、カバー４と、カバー４の中に配置された複数の隔板４１と、カバー４および隔板４１の端縁にスポット溶接された複数の弾片４２と、を含み、組立てられていた。
【０００３】
上述のカバー４および隔板４１の端縁に配置された弾片４２は、スポット方式で固定されているが、係合および組立てを行う部材を有していないため、長期間使用した場合、カバー４および隔板４１から弾片４２が外れる虞がある上、製造時の工数および工程が増える虞があった。
【０００４】
そのため、組立ておよび位置規制を容易に行うことができる送受信モジュールが挿抜可能な筐体構造が求められていた。
【考案の概要】
【考案が解決しようとする課題】
【０００５】
本考案の目的は、筐体および隔板に設けられた第１の凸部および第２の凸部に、第１の弾片および第２の弾片を取り付けることにより、組立ておよび位置規制を容易に行うことができる送受信モジュールが挿抜可能な筐体構造を提供することにある。
【課題を解決するための手段】
【０００６】
上記課題を解決するために、本考案の第１の形態によれば、筐体、複数の第１の弾片および複数の第２の弾片を備える送受信モジュールが挿抜可能な筐体構造であって、前記筐体は、内部に複数の隔板が頂面に対して垂直に配置され、端部に開口を有する複数の収納エリアが内部に画定され、頂面および内面の端部に複数の第１の凸部がそれぞれ設けられ、前記隔板の端部の両面には、複数の第２の凸部がそれぞれ設けられ、前記第１の弾片は、前記筐体の端縁に接続され、前記筐体の端縁を挟持する挟持部を端部に有し、前記挟持部は、前記第１の凸部に係合する複数の固定孔をそれぞれ有し、前記第２の弾片は、前記隔板の端縁に接続され、前記隔板の端縁を挟持する挟持部を端部に有し、前記挟持部は、前記第２の凸部に係合する複数の固定孔をそれぞれ有することを特徴とする送受信モジュールが挿抜可能な筐体構造が提供される。
【０００７】
また、前記第１の凸部は、前記筐体の頂面および内面へ、互いに表裏の関係に設けるか、位置がずれるように設けることが好ましい。
【０００８】
また、前記第２の凸部は、前記隔板の端部の両面に、互いに表裏の関係に設けるか、位置がずれるように設けることが好ましい。
【考案の効果】
【０００９】
本考案の送受信モジュールが挿抜可能な筐体構造は、筐体および隔板に設けられた第１の凸部および第２の凸部に、第１の弾片および第２の弾片を取り付けることにより、組立ておよび位置規制を容易に行うことができる。
【図面の簡単な説明】
【００１０】
【図１】従来の送受信モジュールが挿抜可能な筐体を示す斜視図である。
【図２】図１の線Ａ−Ａ’に沿った断面図である。
【図３】図２のＢ部分の部分拡大図である。
【図４】本考案の第１実施形態による送受信モジュールが挿抜可能な筐体構造を示す分解斜視図である。
【図５】本考案の第１実施形態による送受信モジュールが挿抜可能な筐体構造を示す斜視図である。
【図６】図５の線Ｂ−Ｂ’に沿った断面図である。
【図７】図６のＣ部分の部分拡大図である。
【図８】本考案の第２実施形態による送受信モジュールが挿抜可能な筐体構造を示す斜視図である。
【考案を実施するための形態】
【００１１】
以下、本考案の実施形態について図に基づいて説明する。なお、これによって本考案が限定されるものではない。
【００１２】
（第１実施形態）
図４〜図７に示すように、本考案の第１実施形態による送受信モジュールが挿抜可能な筐体構造は、筐体１、複数の第１の弾片２および複数の第２の弾片３を含む。
【００１３】
筐体１の中には、筐体１の頂面に対して垂直に配置された隔板１１により、端部に開口を有する複数の収納エリア１２が画定されている。筐体１の端部の頂面および内面には、複数の第１の凸部１３が設けられている。各第１の凸部１３は、筐体１の頂面および内面に、互いに表裏の関係に設けるか（例えば、筐体１の頂面および内面に、同じ数または異なる数の第１の凸部１３がそれぞれ設けられる）、位置がずれるように設けられている（例えば、筐体１の頂面および内面の対角位置に、第１の凸部１３がそれぞれ設けられる）。各隔板１１の端部の両面には、複数の第２の凸部１４が設けられている。各第２の凸部１４は、各隔板１１の端部の両面に、互いに表裏の関係に設けるか（例えば、各隔板１１の両面に、同じ数または異なる数の第２の凸部１４がそれぞれ設けられる）、位置がずれるように設けられている（例えば、各隔板１１の両面の対角位置に、第２の凸部１４がそれぞれ設けられる）。
【００１４】
各第１の弾片２は、筐体１の端縁に接続される。各第１の弾片２の端部は、筐体１の端縁を挟持するために用いる挟持部２１を有する。挟持部２１は、第１の凸部１３に係合する複数の固定孔２２を有する。
【００１５】
各第２の弾片３は、各隔板１１の端縁に接続されている。各第２の弾片３の端部は、各隔板１１の端縁を挟持するために用いる挟持部３１を有する。各挟持部３１は、第２の凸部１４を係合する複数の固定孔３２を有する。
【００１６】
本実施形態の各第１の弾片２および各第２の弾片３を実際に組み立てる場合、筐体１の端縁を各第１の弾片２の挟持部２１で挟持し、各挟持部２１の固定孔２２を各第１の凸部１３に係合させるとともに、各隔板１１の端縁を各第２の弾片３の挟持部３１で挟持し、各挟持部３１の固定孔３２を各第２の凸部１４に係合させる。これにより、スポット溶接を行わずに、筐体１および各隔板１１の端縁に配置した各第１の弾片２および各第２の弾片３が外れることを防ぎ、組立ておよび位置規制を容易に行うことができる。
【００１７】
（第２実施形態）
図８は、本考案の第２実施形態による送受信モジュールが挿抜可能な筐体構造を示す斜視図である。図８に示すように、第２実施形態では、第１実施形態の筐体１の替わりに、筐体１ａを用いる。本考案の第２実施形態では、筐体１ａおよび隔板１１ａに設けられた凸部１３ａ，１４ａに、弾片２，３を接続することにより、組立ておよび位置規制を容易に行うことができる。
【００１８】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１９】
１      筐体
１ａ    筐体
２      第１の弾片
３      第２の弾片
４      カバー
１１    隔板
１１ａ  隔板
１２    収納エリア
１３    第１の凸部
１３ａ  第１の凸部
１４    第２の凸部
１４ａ  第２の凸部
２１    挟持部
２２    固定孔
３１    挟持部
３２    固定孔
４１    隔板
４２    弾片
【図１】
0003156176.tif 000003
【図２】
0003156176.tif 000004
【図３】
0003156176.tif 000005
【図４】
0003156176.tif 000006
【図５】
0003156176.tif 000007
【図６】
0003156176.tif 000008
【図７】
0003156176.tif 000009
【図８】
0003156176.tif 000010